(57)【要約】  【課題】  配管の支持方向の移動を拘束しつつ、支持方向と直交する方向の移動を難なく許容する配管支持構造を提供する。  【解決手段】  配管支持構造１は、配管Ｐを挟み込んでボルト１３で締結して固定するサドル３を架台Ｓに取り付けて配管Ｐを支持する。サドル３の取付部材１０の基台１０ａを、架台Ｓに固定される支持枠２の支持板６上に載置させる。支持板６には配管Ｐの軸線に直交する方向に平行に並ぶ複数のローラ８を具備させる。ローラ８は基台１０ａ上を転動可能とする。支持板６及びローラ８と基台１０ａとの間に摩擦抵抗の小さなスライドパッド６ａ，１０ｃを介在させる。基台１０ａは支持板６及とローラ８との間で上下に拘束され、水平移動可能に支持されるので、配管Ｐは架台Ｓに対して上下方向に拘束されつつ水平方向への移動が許容される。【選択図】  図１
2019113110.tif 000002
【特許請求の範囲】
【請求項１】
相互間に配管を挟み込むように相対向し、両端部をボルトで互いに締結されて配管に固定する一対の把持部材の一方を配管の経路上の架台に取り付けることにより配管を支持する配管支持構造において、
前記一方の把持部材に固定される取付部材と、
前記架台に固定され、前記取付部材を取り付けて配管を支持する支持部材と、
この支持部材から前記取付部材の前記把持部材側に張り出し、取付部材を支持部材との間に挟み、これらの並びと直交方向に移動可能に固定する押さえ部材とを具備し、
配管を構築物の支持方向に拘束しつつこれと直交方向への移動を許容することを特徴とする配管支持構造。
【請求項２】
前記取付部材と支持部材及び押さえ部材との間には、円滑に摺動させる低摩擦抵抗板が介在することを特徴とする請求項１に記載の配管支持構造。
【請求項３】
前記支持部材又は押さえ部材の少なくとも一方は、前記支持部材に配管の軸線方向の回転軸により前記取付部材の接触面上を転動自在にそれぞれ支持され、配管の軸線に直交する方向に平行に並ぶ複数のローラを具備することを特徴とする請求項１又は２に記載の配管支持構造。
【発明の詳細な説明】
【技術分野】
【０００１】
この発明は、配管の経路上の架台に配管を支持する配管支持構造に関し、特に配管を支持方向に拘束するが配管に伝わる熱による変位を許容するものである。
【背景技術】
【０００２】
従来、配管を固定する配管支持構造として特許文献１に記載の配管支持装置がある。この配管支持装置は、対向する一対の把持部材の相互間に配管を挟み、両把持部材の両端部をボルトで締結して配管を支持するサドルを具備する。この配管支持装置は、架台上に複数の鋼球を並設した保持器を設置し、この上にサドルを支持させることにより、配管と共に変位するサドルを鋼球の転動により水平方向の移動させる。
【先行技術文献】
【特許文献】
【０００３】
【特許文献１】実開昭54-67816号公報
【発明の概要】
【発明が解決しようとする課題】
【０００４】
上記従来の装置においては、サドルと架台との間に鋼球が介在しているが、配管が上方に移動した際に配管と共に移動するサドルと架台の間に隙間が発生する。この隙間が鋼球の直径以上の大きさになると、鋼球が脱落してしまい、所期の性能を発揮できなくなる。この結果、この装置は、配管の上方への移動を拘束できないし、配管の移動が上方以外の方向に限ぎられた箇所のみに限定的に適用されるという問題がある。
そこで本発明は、配管の支持方向の移動を拘束しつつ、支持方向と直交する方向の移動を難なく許容して、配管の固定と熱変位を確実にする配管支持構造を提供することを課題とする。
【課題を解決するための手段】
【０００５】
上記課題を解決するため、この出願に係る発明の配管支持構造は、相互間に配管Ｐを挟み込むように対向し、両端部をボルト１３で互いに締結して配管Ｐに固定する一対の把持部材１１，１２の一方１１を構築物に取り付けることにより配管Ｐを支持する。配管支持構造１は、一方の把持部材１１に固定される取付部材１０と、配管Ｐの経路上の架台Ｓに固定され、取付部材１０を取り付けて配管Ｐを支持する支持部材２と、この支持部材２から取付部材１０の把持部材１１側に張り出し、取付部材１０を支持部材２との間に挟み、これらの並びと直交方向に移動可能に固定する押さえ部材とを具備する。配管Ｐを構築物の架台Ｓに対して支持方向に拘束しつつ直交方向への移動を許容する。
取付部材１０と支持部材２及び押さえ部材との間には、円滑に摺動させる低摩擦抵抗板６ａ，１０ｃを介在させる。
支持部材２又は押さえ部材の少なくとも一方には、支持部材２に配管Ｐの軸線方向の回転軸により取付部材の接触面上を転動自在にそれぞれ支持され、配管Ｐの軸線に直交する方向に平行に並ぶ複数のローラ８を具備させる。
【発明の効果】
【０００６】
この出願に係る発明の装置によれば、押さえ部材により配管を構築物の支持方向の移動を拘束すると共に、支持方向に直交する方向の移動を許容するので、配管の固定と熱変位の許容を確実にすることができる。
【図面の簡単な説明】
【０００７】
【図１】本発明に係る配管支持構造の正面図である。
【図２】図１の配管支持構造の側面図である。
【図３】図１の配管支持構造の図２のＩＩＩ−ＩＩＩ線断面図である。
【図４】図１の配管支持構造の一部を省略した斜視図である。
【図５】図１の配管支持構造の一部を拡大した正面図である。
【発明を実施するための形態】
【０００８】
図面を参照してこの発明の実施の形態を説明する。
図１ないし図３において、配管支持構造１は、配管Ｐの経路上に位置し角パイプやＨ型鋼材などで構成された架台Ｓ上に水平に取り付けられ、配管Ｐの支持位置に合わせて高さ調整された支持枠２と、配管Ｐを支持枠２に支持するサドル３とを具備する。
【０００９】
支持枠２は、Ｉ型鋼材４と、長尺のＩ型鋼材４の上下フランジに互いに平行に固着された矩形の下板５及び支持板６と、これらの相互間においてＩ型鋼材４のウェブに基端部が固着され直交方向にそれぞれ延出する複数のリブ７とで構成される。支持板６は支持枠２の一部を構成しているが、配管Ｐの上下位置に応じて高さ調整された架台Ｓの一部として一体をなしてもよい。支持板６の長手方向両端部の上面には、低摩擦抵抗板を構成する摩擦抵抗の小さな鋼板であるスライドパッド６ａがそれぞれ貼着されている。支持板６には、スライドパッド６ａ上を隙間を置いて横断する水平の回転軸がブラケット９に軸支された押さえ部材である一対のローラ８，８が支持されている。
【００１０】
サドル３は、取付部材１０と、取付部材１０に固着された第１の把持部材１１と、この把持部材１１に斜め上下に対向して相互間に配管Ｐを把持する第２の把持部材１２と、第１，第２の把持部材１１，１２を結合するボルト・ナット１３とを具備する。第１の把持部材１１及び第２の把持部材１２は、配管Ｐの半部を受け入れるように外膨らみの半円状をなす把持部１１ａ，１２ａと、これら把持部１１ａ，１２ａの両端部に連続してボルト・ナット１３で締め留められる接合部１１ｂ，１２ｂとを具備する。第１の把持部材１１には、必要に応じて配管Ｐの振動を抑制するための制振装置などが接続される。取付部材１０は、支持枠２に載置される基台１０ａと、第１の把持部材１１の下面に上端が固着され、左右に間隔をおいて対向するように基台１０ａから垂直に立ち上がった横断面Ｈ形の支持脚１０ｂとを具備する。基台１０ａは、その配管Ｐの軸線方向の幅がローラ８のブラケット９，９の間隔より小さく、支持枠２の支持板６とローラ８との隙間に挿入される。図３，図４に示すように、基台１０ａの長手方向両端部の底面には、スライドパッド６ａに常時重なる低摩擦抵抗板を構成する摩擦抵抗の小さな鋼板であるスライドパッド１０ｃが貼着されている。基台１０ａの長手方向両端部の上面には、ローラ８の対応位置に常時位置する低摩擦抵抗板を構成する摩擦抵抗の小さな鋼板であるスライドパッド１０ｃが貼着されている。
【００１１】
この配管支持構造１は、把持部材１１，１２で配管Ｐを挟んで把持し、ボルト・ナット１３で締結することにより、配管Ｐにサドル３が固定され、配管Ｐを架台Ｓに支持する。この状態で配管Ｐは、取付部材１０の基台１０ａがローラ８，８と支持枠２の支持板６との間に上下に挟まれるので、上下方向に拘束される。一方、配管Ｐの軸線方向の幅とブラケット９，９の間隔との差分長さ範囲及びローラ８，８間の支持脚１０ｂが規制される範囲で配管Ｐの水平方向に移動できる。これらの移動時にローラ８，８が基台１０ａ上を転動すると共に、ローラ８とスライドパッド１０ｃの間及びスライドパッド６ａ，１０ｃ間の円滑な摺動により支持板６に対する基台１０ａの移動が円滑に行われ、配管Ｐの熱変位を無理なく許容する。
【００１２】
なお、本実施形態では、配管Ｐを架台Ｓに対して縦方向に支持する状況に適用したが、本発明はこれに限定されるものではなく、配管Ｐを架台Ｓに対して横方向に支持する場合にも、支持枠２を構成する支持板６、押さえ部材を構成するローラ８、取付部材１０を構成する基台１０ａなどを縦方向に向けて横方向に配置するなど構成を適宜変更することにより適用できることは言うまでもない。
【００１３】
また、支持板６には、スライドパッド６ａを貼着したが、これに代えてスライドパッド１０ｃの対応位置に常時位置し、スライドパッド１０ｃの下方に隙間を置いて横断する水平の回転軸を有するローラを支持してもよく、この場合にも、支持板６に対する基台１０ａの移動を円滑に行うことができる。
さらに、ローラ８に代えてスライドパッド１０ｃに接触するスライドパッドを貼着した押さえ板を基台１０ａ上に横断させてもよく、この場合にも、支持板６に対する基台１０ａの移動を円滑に行うことができる。
【符号の説明】
【００１４】
１    配管支持構造
２    支持枠
３    サドル
４    Ｉ型鋼材
５    下板
６    支持板
６ａ  スライドパッド
７    リブ
８    ローラ
９    ブラケット
１０    取付部材
１０ａ  基台
１０ｂ  支持脚
１０ｃ  スライドパッド
１１    第１の把持部材
１１ａ  把持部
１１ｂ  接合部
１２    第２の把持部材
１２ａ  把持部
１２ｂ  接合部
１３    ボルト・ナット
Ｐ    配管
Ｓ    架台
【図１】
2019113110.tif 000003
【図２】
2019113110.tif 000004
【図３】
2019113110.tif 000005
【図４】
2019113110.tif 000006
【図５】
2019113110.tif 000007